(57)【要約】【課題】バッテリの重さによって感じる負担を軽減することができる調温ジャケットおよび保温ジャケットを提供する。【解決手段】表地２６と裏地２７とを有するジャケット本体２０と、表地２６と裏地２７との間に配置され、電力が供給されることによって発熱する発熱体と、ジャケット本体２０に配置され、発熱体に電力を供給するバッテリを収容可能なバッテリポケット３０と、表地２６と裏地２７との間にジャケット本体２０の身幅方向に沿って配置された引張紐４０とを備え、引張紐４０は、バッテリポケット３０の内側に露出した露出部と、表地２６または裏地２７に固定された固定部とを有し、露出部を引っ張ることによって、ジャケット本体２０の身幅が収縮する。【選択図】図５
2019183310.tif 000002
【特許請求の範囲】
【請求項１】
表地と裏地とを有するジャケット本体と、
前記ジャケット本体に配置され、電力が供給されることにより、発熱または送風する調温体と、
前記ジャケット本体に配置され、前記調温体に電力を供給するバッテリを収容可能なバッテリポケットと、
前記表地と前記裏地との間に前記ジャケット本体の身幅方向に沿って配置された長尺体と、
を備え、
前記長尺体は、前記バッテリポケットの内側に露出した露出部と、前記表地または前記裏地に固定された固定部とを有しており、前記露出部を引っ張ることによって、前記ジャケット本体の身幅が収縮する、
ことを特徴とする調温ジャケット。
【請求項２】
表地と裏地とを有するジャケット本体と、
前記表地と前記裏地との間に配置され、電力が供給されることによって発熱する発熱体と、
前記ジャケット本体に配置され、前記発熱体に電力を供給するバッテリを収容可能なバッテリポケットと、
前記表地と前記裏地との間に前記ジャケット本体の身幅方向に沿って配置された長尺体と、
を備え、
前記長尺体は、前記バッテリポケットの内側に露出した露出部と、前記表地または前記裏地に固定された固定部とを有しており、前記露出部を引っ張ることによって、前記ジャケット本体の身幅が収縮する、
ことを特徴とする保温ジャケット。
【請求項３】
前記露出部は、前記バッテリポケットの内側に露出した前記長尺体の一方の端部であり、
前記固定部は、前記表地または前記裏地に固定された前記長尺体の他方の端部であり、
前記長尺体は、前記一方の端部を引っ張ることによって、前記ジャケット本体の身幅が収縮する、
請求項２に記載の保温ジャケット。
【請求項４】
前記長尺体は、前記ジャケットの着丈方向において、前記バッテリポケットの中央より上側に配置されている、
請求項２または３に記載の保温ジャケット。
【請求項５】
前記バッテリポケットは、前記バッテリと電気的に接続可能な端子部が配置されている、
請求項２から４のいずれか一項に記載の保温ジャケット。
【請求項６】
前記発熱体は、前記ジャケット本体の襟部に、上下方向に往復して身幅方向に沿って配置されている、
請求項２から５のいずれか一項に記載の保温ジャケット。
【請求項７】
前記バッテリポケットに収容されたバッテリ、
を備え、
前記バッテリは、バッテリに対して着脱可能なベルトフックを有する、
請求項２から請求項６のいずれか一項に記載の保温ジャケット。
【発明の詳細な説明】
【技術分野】
【０００１】
本発明は、調温ジャケットおよび保温ジャケットに関する。
【背景技術】
【０００２】
例えば、寒冷地の作業現場での作業を快適に行うために、作業用のジャケットに、充電式のバッテリから供給される電力によって発熱する発熱体を配置する技術が知られている（例えば、特許文献１参照）。
【先行技術文献】
【特許文献】
【０００３】
【特許文献１】特許第６０９６４８２号
【発明の概要】
【発明が解決しようとする課題】
【０００４】
ところが、発熱体の電源としてバッテリを使用しているため、ユーザがバッテリの重量を負担に感じるおそれがある。また、バッテリがジャケットに対して自由に動くと、ユーザがバッテリの重量をより負担に感じるおそれがある。そこで、バッテリの重さによって感じる負担を軽減することが望まれる。
【０００５】
本発明の態様は、バッテリの重さによって感じる負担を軽減することができる調温ジャケットおよび保温ジャケットを提供することを目的とする。
【課題を解決するための手段】
【０００６】
本発明の態様に従えば、表地と裏地とを有するジャケット本体と、前記ジャケット本体に配置され、電力が供給されることにより、発熱または送風する調温体と、前記ジャケット本体に配置され、前記調温体に電力を供給するバッテリを収容可能なバッテリポケットと、前記表地と前記裏地との間に前記ジャケット本体の身幅方向に沿って配置された長尺体と、を備え、前記長尺体は、前記バッテリポケットの内側に露出した露出部と、前記表地または前記裏地に固定された固定部とを有しており、前記露出部を引っ張ることによって、前記ジャケット本体の身幅が収縮する、調温ジャケットが提供される。
【０００７】
本発明の態様に従えば、表地と裏地とを有するジャケット本体と、前記表地と前記裏地との間に配置され、電力が供給されることによって発熱する発熱体と、前記ジャケット本体に配置され、前記発熱体に電力を供給するバッテリを収容可能なバッテリポケットと、前記表地と前記裏地との間に前記ジャケット本体の身幅方向に沿って配置された長尺体と、を備え、前記長尺体は、前記バッテリポケットの内側に露出した露出部と、前記表地または前記裏地に固定された固定部とを有しており、前記露出部を引っ張ることによって、前記ジャケット本体の身幅が収縮する、保温ジャケットが提供される。
【発明の効果】
【０００８】
本発明の態様によれば、バッテリの重さによって感じる負担を軽減することができる調温ジャケットおよび保温ジャケットが提供される。
【図面の簡単な説明】
【０００９】
【図１】図１は、第一実施形態に係る保温ジャケットを示す正面図である。
【図２】図２は、第一実施形態に係る保温ジャケットを示す背面図である。
【図３】図３は、第一実施形態に係る保温ジャケットの裏側を示す概略図である。
【図４】図４は、第一実施形態に係る保温ジャケットの裏側を示す概略図であり、身頃を収縮させた状態を示す図である。
【図５】図５は、第一実施形態に係る保温ジャケットのバッテリポケットを示す概略図である。
【図６】図６は、第一実施形態に係る保温ジャケットの電気回路を示す概略図である。
【図７】図７は、第一実施形態に係る保温ジャケットの第六発熱体を示す概略図である。
【図８】図８は、第一実施形態に係る保温ジャケットに装着する電動工具用バッテリとバッテリホルダの一例を示す斜視図である。
【図９】図９は、第一実施形態に係る保温ジャケットに装着する電動工具用バッテリとバッテリホルダの一例を示す側面図である。
【図１０】図１０は、第二実施形態に係る保温ジャケットを示す正面図である。
【図１１】図１１は、第二実施形態に係る保温ジャケットを示す背面図である。
【図１２】図１２は、第三実施形態に係る保温ジャケットを示す正面図である。
【図１３】図１３は、第三実施形態に係る保温ジャケットを示す背面図である。
【図１４】図１４は、第三実施形態に係る保温ジャケットのカードポケットを示す正面図である。
【図１５】図１５は、第三実施形態に係る保温ジャケットのカードポケットを示す正面図であり、蓋部を開いた状態を示す。
【図１６】図１６は、第三実施形態に係る保温ジャケットのカードポケットを示す背面図であり、蓋部を開いた状態を示す。
【図１７】図１７は、保温ジャケットの長尺体の他の例を示す概略図である。
【図１８】図１８は、保温ジャケットの長尺体の他の例を示す概略図である。
【図１９】図１９は、保温ジャケットの長尺体の他の例を示す概略図である。
【図２０】図２０は、保温ジャケットの長尺体の他の例を示す概略図である。
【発明を実施するための形態】
【００１０】
以下、本発明の実施形態について、添付図面を参照して詳細に説明する。なお、この実施形態によりこの発明が限定されるものではない。また、下記実施形態における構成要素には、当業者が置換可能かつ容易なもの、または実質的に同一のものを含む。さらに、以下に記載した構成要素は適宜組み合わせることが可能であり、また、実施形態が複数ある場合には、各実施形態を組み合わせることも可能である。
【００１１】
［第一実施形態］
図１ないし図４を参照して、調温ジャケットの一つである保温ジャケット１０の概要について説明する。図１は、第一実施形態に係る保温ジャケットを示す正面図である。図２は、第一実施形態に係る保温ジャケットを示す背面図である。図３は、第一実施形態に係る保温ジャケットの裏側を示す概略図である。図４は、第一実施形態に係る保温ジャケットの裏側を示す概略図であり、身頃を収縮させた状態を示す図である。保温ジャケット１０は、例えば、寒冷地の作業現場での作業を快適に行う際に着用される。保温ジャケット１０は、電動工具に使用する電動工具用バッテリ（バッテリ）７０から供給される電力によって発熱する。
【００１２】
保温ジャケット１０は、ジャケット本体２０と、バッテリポケット３０と、引張紐（長尺体）４０と、６つの発熱体５０と、電気回路６０と、電動工具用バッテリ７０と、バッテリホルダ８０とを備える。
【００１３】
ジャケット本体２０は、ジャケット型である。ジャケット本体２０は、胴部２１と、左袖部２２と、右袖部２３と、襟部２４とを有する。胴部２１は、前身頃に配置されたチャック２５によって開閉可能である。左袖部２２は、胴部２１の左肩部と縫合されている。右袖部２３は、胴部２１の右肩部と縫合されている。襟部２４は、胴部２１の上部と縫合されている。襟部２４は、立ち襟状に形成されている。なお、左袖部２２および右袖部２３は、例えば、チャックまたはボタンなどによって胴部２１に対して着脱自在としてもよい。
【００１４】
このように構成されたジャケット本体２０は、表地２６と裏地２７とが重ね合わされた状態で少なくとも周縁部が縫製されている。
【００１５】
表地２６は、防水性と透湿性とを有する。表地２６は、裏地２７に比べて厚さが厚いことが好ましい。
【００１６】
裏地２７は、透湿性を有する。裏地２７は、表地２６に比べて厚さが薄く、伸縮性が高いことが好ましい。
【００１７】
図５を用いて、バッテリポケット３０について説明する。図５は、第一実施形態に係る保温ジャケットのバッテリポケットを示す概略図である。バッテリポケット３０は、ジャケット本体２０の胴部２１に配置されている。本実施形態では、バッテリポケット３０は、胴部２１の左側部で、胴部２１の中央より下側に配置されている。バッテリポケット３０は、電動工具用バッテリ７０を収容可能である。バッテリポケット３０は、チャック３４によって開閉可能である。バッテリポケット３０は、内側に形成された、第一貫通孔３１と、第二貫通孔３２と、一対の第三貫通孔３３とを有する。
【００１８】
第一貫通孔３１は、バッテリポケット３０の内側の上部に配置されている。第一貫通孔３１は、バッテリポケット３０の内側と、ジャケット本体２０の表地２６と裏地２７との間の発熱体収容部とを連通する。第一貫通孔３１は、電気回路６０の電源線６２とジャケット側コネクタ（端子部）６３とが進退可能に挿通されている。
【００１９】
第二貫通孔３２は、バッテリポケット３０の内側の下部に配置されている。第二貫通孔３２は、第一貫通孔３１より下側に配置されている。第二貫通孔３２は、バッテリポケット３０の内側と、ジャケット本体２０の裏側とを連通する。第二貫通孔３２は、電気回路６０の電源線６２とジャケット側コネクタ６３とが進退可能に挿通可能である。
【００２０】
一対の第三貫通孔３３は、バッテリポケット３０の内側の中間部に配置されている。より詳しくは、一対の第三貫通孔３３は、第一貫通孔３１の下側であって、第二貫通孔３２の上側に配置されている。一対の第三貫通孔３３は、バッテリポケット３０の内側に電動工具用バッテリ７０を収容した状態で、電動工具用バッテリ７０の上側に位置する。第三貫通孔３３は、バッテリポケット３０の内側と、ジャケット本体２０の表地２６と裏地２７との間とを連通する。一対の第三貫通孔３３は、引張紐４０が進退可能に挿通されている。
【００２１】
図３ないし図５を参照して、引張紐４０について説明する。引張紐４０は、表地２６と裏地２７との間にジャケット本体２０の胴部２１の後身頃の身幅方向に沿って配置されている。本実施形態では、引張紐４０は、ループ状のドローコードである。引張紐４０は、一方の端部（露出部）が、一対の第三貫通孔３３を通ってバッテリポケット３０の内側に露出している。引張紐４０は、他方の端部（固定部）が、ジャケット本体２０の胴部２１の右側部に対応する裏地２７に固定されている。このように、引張紐４０は、表地２６と裏地２７との間において、ジャケット本体２０の胴部２１の後身頃の左側部と右側部との間に配置されている。引張紐４０は、ジャケット本体２０の着丈方向において、バッテリポケット３０の中央より上側に位置している。より詳しくは、引張紐４０は、ジャケット本体２０の着丈方向において、第一貫通孔３１の下側であって、第二貫通孔３２の上側に位置している。引張紐４０は、一方の端部に、留具４１が配置されている。
【００２２】
留具４１は、引張紐４０のコードロックである。留具４１は、図示しない挿通孔に引張紐４０が挿通されている。留具４１は、引張紐４０上において、任意の位置で係止可能である。留具４１は、引張紐４０上において係止することによって、引張紐４０が第三貫通孔３３から露出する部分の長さを調節可能である。留具４１は、引張紐４０上の任意の位置で係止した状態で、位置がずれないようにロック機構を有することが好ましい。
【００２３】
引張紐４０が第三貫通孔３３から露出する部分の長さを長くした状態で留具４１によって係止すると、ジャケット本体２０の胴部２１の後身頃の裏地２７が手繰られて収縮して、身幅方向に狭くなる。これにより、ジャケット本体２０の胴部２１の裏地２７とユーザの身体との間の空間が狭くなり、ジャケット本体２０の胴部２１の裏地２７が身体にフィットする。ジャケット本体２０の胴部２１の裏地２７が身体にフィットする位置は、着丈方向において、バッテリポケット３０の中央より上側である。より詳しくは、ジャケット本体２０の胴部２１の裏地２７が身体にフィットする位置は、着丈方向において、第一貫通孔３１の下側であって、第二貫通孔３２の上側である。
【００２４】
引張紐４０が第三貫通孔３３から露出する部分の長さを短くした状態で留具４１によって係止すると、ジャケット本体２０の胴部２１の後身頃の裏地２７の収縮が解除されて、身幅方向に広がる。これにより、ジャケット本体２０の胴部２１の裏地２７とユーザの身体との間の空間が広くなる。
【００２５】
このように引張紐４０が第三貫通孔３３から露出する部分の長さを調整すると、ジャケット本体２０の胴部２１の後身頃の裏地２７のみが、身幅方向に狭くなったり、広くなったりする。これにより、引張紐４０が第三貫通孔３３から露出する部分の長さを調整しても、ジャケット本体２０の表側の外見上の見た目には差異がない。
【００２６】
図１、図２に戻って、発熱体５０について説明する。本実施形態では、発熱体５０は、第一発熱体５１と、第二発熱体５２と、第三発熱体５３と、第四発熱体５４と、第五発熱体５５と、第六発熱体（発熱体）５６とである。第一発熱体５１と第二発熱体５２と第三発熱体５３と第四発熱体５４と第五発熱体５５と第六発熱体５６との区別を要しないとき、発熱体５０として説明する。
【００２７】
第一発熱体５１は、ジャケット本体２０の胴部２１の左側の前身頃の表地２６と裏地２７との間に配置されている。第二発熱体５２は、ジャケット本体２０の胴部２１の右側の前身頃の表地２６と裏地２７との間に配置されている。第三発熱体５３は、ジャケット本体２０の胴部２１の後身頃の左上部の表地２６と裏地２７との間に配置されている。第四発熱体５４は、ジャケット本体２０の胴部２１の後身頃の右上部の表地２６と裏地２７との間に配置されている。第五発熱体５５は、ジャケット本体２０の胴部２１の後身頃の中央下部の表地２６と裏地２７との間に配置されている。第六発熱体５６は、ジャケット本体２０の襟部２４の表地２６と裏地２７との間に配置されている。
【００２８】
このような第一発熱体５１と第二発熱体５２と第三発熱体５３と第四発熱体５４と第五発熱体５５と第六発熱体５６とが配置された部分を、ジャケット本体２０の表地２６と裏地２７との間の発熱体収容部という。
【００２９】
第一発熱体５１と第二発熱体５２と第三発熱体５３と第四発熱体５４と第五発熱体５５とは同様に構成されているため、第一発熱体５１について説明し、第二発熱体５２と第三発熱体５３と第四発熱体５４と第五発熱体５５とについては説明を省略する。
【００３０】
図６を用いて、第一発熱体５１について説明する。図６は、第一実施形態に係る保温ジャケットの電気回路を示す概略図である。第一発熱体５１は、矩形状の布地５１０と、布地５１０上に縫い付けられた抵抗体であるカーボンファイバー５１１とを有する。カーボンファイバー５１１は、布地５１０上において蛇行して複数回往復して身幅方向に沿って配置されている。カーボンファイバー５１１の両端部には、電気回路６０の発熱体側電線６４がそれぞれ接続されている。このように構成された第一発熱体５１は、矩形状の布地５１０がジャケット本体２０の胴部２１に対応する表地２６と裏地２７との所定位置に縫いつけられて、発熱体収容部に配置されている。
【００３１】
図６、図７を用いて、第六発熱体５６について説明する。図７は、第一実施形態に係る保温ジャケットの第六発熱体を示す概略図である。第六発熱体５６は、細長い矩形状の布地５６０と、布地５６０上に縫い付けられたカーボンファイバー５６１とを有する。カーボンファイバー５６１は、布地５６０上において上下方向に往復して身幅方向に沿って配置されている。本実施形態では、カーボンファイバー５６１は、上下方向に山部と谷部とが繰り返された山型に形成されている。本実施形態では、山部と谷部との形状は、すべて同一である。言い換えると、第六発熱体５６のカーボンファイバー５６１は、ユーザの身体動作に追従する襟部２４の身幅方向と着丈方向との収縮に追従して、収縮可能な形状に配置されている。カーボンファイバー５６１の両端部には、電気回路６０の発熱体側電線６４がそれぞれ接続されている。このように構成された第六発熱体５６は、矩形状の布地５６０がジャケット本体２０の襟部２４に対応する表地２６と裏地２７との所定位置に縫いつけられて、発熱体収容部に配置されている。カーボンファイバー５６１は、縫い目５６０ａによって布地５６０上における移動が規制されている。
【００３２】
第六発熱体５６は、第一発熱体５１と第二発熱体５２と第三発熱体５３と第四発熱体５４と第五発熱体５５とより、発熱時の温度が低くなるように設定されている。
【００３３】
図６に戻って、電気回路６０について説明する。電気回路６０は、操作スイッチ６１（図１参照）と、電源線６２と、ジャケット側コネクタ６３（図３参照）と、発熱体側電線６４と、これらを制御する制御部６９とを有する。
【００３４】
操作スイッチ６１は、発熱体５０に対する電力の供給の入切と、発熱体５０の発熱量（温度）の切替えとを行うスイッチである。操作スイッチ６１は、制御部６９と電気的に接続されている。本実施形態では、操作スイッチ６１は、ジャケット本体２０の胴部２１の左胸部に配置されている。操作スイッチ６１が操作されると、信号が生成されて、制御部６９に入力される。例えば、操作スイッチ６１がユーザによって数秒程度長押しされると、発熱体５０に対する電力の供給の開始と停止とを切り替える制御を行わせる信号が制御部６９に入力される。または、例えば、操作スイッチ６１がユーザによって１秒程度押下されるたびに、発熱体５０の温度を、高温、中温、低温と順番に切り替える制御を行わせる信号が制御部６９に入力される。
【００３５】
操作スイッチ６１は、裏側に図示しないＬＥＤ（Ｌｉｇｈｔ  Ｅｍｉｔｔｉｎｇ  Ｄｉｏｄｅ）が配置されている。ＬＥＤは、発熱体５０が発熱しているかをユーザに報知する。ＬＥＤは、発熱体５０が発熱しているときには温度をユーザに報知する。ＬＥＤは、操作スイッチ６１の操作によって、発熱体５０の温度が高温、中温、低温と順番に切り替えられると、例えば、赤色、白色、青色の順番で点灯する。ＬＥＤは、発熱体５０が発熱していないとき、消灯する。ＬＥＤの色は上記に限定されない。または、ＬＥＤは、例えば、点灯状態を、点灯、長い時間間隔での点滅、短い時間間隔での点滅と切り替えることによって、発熱体５０の温度を示してもよい。
【００３６】
電源線６２は、制御部６９と電動工具用バッテリ７０とを電気的に接続する。なお、図６においては、電動工具用バッテリ７０側に接続されたリード線８２と、アダプタ側コネクタ８３とを省略している。
【００３７】
ジャケット側コネクタ６３は、電源線６２の一方の端部に接続されている。なお、図６においては、ジャケット側コネクタ６３を省略している。ジャケット側コネクタ６３は、バッテリホルダ８０のアダプタ側コネクタ８３と電気的に接続可能である。
【００３８】
発熱体側電線６４は、制御部６９と発熱体５０とを電気的に接続する。
【００３９】
制御部６９は、演算処理を行うＣＰＵ（Ｃｅｎｔｒａｌ  Ｐｒｏｃｅｓｓｉｎｇ  Ｕｎｉｔ）と、プログラムを格納したメモリとを備える。制御部６９は、保温ジャケット１０の動作を制御する。制御部６９は、操作スイッチ６１が操作されたことを検知すると、保温ジャケット１０を制御する。例えば、操作スイッチ６１がユーザによって数秒程度長押しされたことを検知すると、制御部６９は、発熱体５０に対する電力の供給の開始と停止とを切り替える。または、例えば、操作スイッチ６１がユーザによって１秒程度押下されたことを検知するたびに、制御部６９は、発熱体５０の温度を、高温、中温、低温と順番に切り替える。本実施形態では、制御部６９は、ジャケット本体２０の左胸部に配置された操作スイッチ６１の裏側に配置されている。
【００４０】
制御部６９は、電動工具用バッテリ７０の電圧を発熱体５０に合わせて電圧を変換する電源回路を含む。制御部６９は、操作スイッチ６１の操作に応じて、発熱体５０の発熱量を制御する発熱体制御回路を含む。制御部６９は、発熱体５０の異常発熱、または、過負荷（過電流）から発熱体５０を保護する発熱体異常検出回路を含む。
【００４１】
図８、図９を用いて、電動工具用バッテリ７０について説明する。図８は、第一実施形態に係る保温ジャケットに装着する電動工具用バッテリとバッテリホルダの一例を示す斜視図である。図９は、第一実施形態に係る保温ジャケットに装着する電動工具用バッテリとバッテリホルダの一例を示す側面図である。電動工具用バッテリ７０は、携帯用の電動工具の電源である。電動工具用バッテリ７０は、電気的に接続された複数のリチウムイオン電池セルが内臓されている。電動工具用バッテリ７０は、図示しない充電器で充電して繰り返し使用することが可能である。電動工具用バッテリ７０は、例えば、電圧が０．８Ｖ、１４．４Ｖ、１８Ｖ、１３６Ｖである。電動工具用バッテリ７０は、スライドすることでバッテリホルダ８０に着脱可能である。電動工具用バッテリ７０は、解除ボタン７１を押下することで、バッテリホルダ８０との係合が解除される。
【００４２】
バッテリホルダ８０は、電動工具用バッテリ７０を電気回路６０に接続するアダプタである。バッテリホルダ８０は、ホルダ本体８１と、リード線８２と、アダプタ側コネクタ８３と、突起部８４と、ベルトフック８５とを有する。ホルダ本体８１は、電動工具用バッテリ７０が装着される。リード線８２は、ホルダ本体８１から引き出されている。アダプタ側コネクタ８３は、リード線８２の先端部に接続されている。アダプタ側コネクタ８３は、ジャケット本体２０に配置された電気回路６０のジャケット側コネクタ６３に接続可能である。アダプタ側コネクタ８３とジャケット側コネクタ６３とが接続された状態で、電動工具用バッテリ７０とジャケット本体２０の電気回路６０とが電気的に接続される。
【００４３】
突起部８４は、バッテリホルダ８０をユーザのユーザの腰部に巻き付けられたベルトに係止させた状態で保持するためのロック機構である。突起部８４は、ホルダ本体８１の上面部に対して進退可能に配置されている。突起部８４は、ボタン８４１が押されてホルダ本体８１内に後退している間、ホルダ本体８１の上面部の下側に後退する。突起部８４が後退しているとき、ロックが解除された状態となり、バッテリホルダ８０をベルトの取り付けたり、ベルトから取り外したりすることができる。突起部８４は、ボタン８４１を押圧する力が解除されて、ボタン８４１がホルダ本体８１から側方に突出している間、ホルダ本体８１の上面部から上側に突出する。突起部８４が突出しているとき、ロックされた状態となり、ベルトが突起部８４に当たって、バッテリホルダ８０をベルトから取り外すことができなくなる。
【００４４】
ベルトフック８５は、バッテリホルダ８０をベルトに係止させるための係止部材である。ベルトフック８５は、ホルダ本体８１の上面部に配置されている。ベルトフック８５は、一方の端部が、ホルダ本体８１の上面部に固定されている。ベルトフック８５は、電動工具用バッテリ７０がバッテリホルダ８０に装着された状態で、一方の端部が、解除ボタン７１の上側に位置している。ベルトフック８５は、平坦部８５１と、折曲部８５２とを有する。
【００４５】
平坦部８５１は、ホルダ本体８１の上面部と平行に配置されている。折曲部８５２は、平坦部８５１と一体に形成されている。折曲部８５２は、ベルトフック８５の他方の端部側に形成されている。折曲部８５２は、曲げ加工によって形成された曲部８５２ａを有する。曲部８５２ａは、ホルダ本体８１の上面と接している。曲部８５２ａは、突起部８４より、ベルトフック８５の一方の端部から離れて位置している。言い換えると、ベルトフック８５の一方の端部を上にして平坦部８５１を上下方向に平行にした状態で、曲部８５２ａは、突起部８４より下側に位置する。このように構成されたベルトフック８５は、ホルダ本体８１の上面との間に、ベルトを挟んで保持する。
【００４６】
ベルトフック８５は、一対の雄ネジ８６によってホルダ本体８１に形成された図示しない雌ネジに螺合されることによって、ホルダ本体８１の上面に固定される。ベルトフック８５は、一対の雄ネジ８６を取り外すことによって、ホルダ本体８１から取り外すことが可能である。
【００４７】
このように構成された電動工具用バッテリ７０とバッテリホルダ８０とは、電動工具用バッテリ７０をホルダ本体８１に対してスライドして挿入されることによって、ホルダ本体８１と電気的に接続される。また、電動工具用バッテリ７０とホルダ本体８１とは、電気的な接続状態を保持するための図示しないロック機構を有する。電動工具用バッテリ７０の解除ボタン７１を押圧することで、ロック状態が解除される。
【００４８】
次に、このように構成された保温ジャケット１０の使用方法と作用とについて説明する。
【００４９】
まず、ジャケット本体２０に、電動工具用バッテリ７０とバッテリホルダ８０とを取り付ける。電動工具用バッテリ７０は、バッテリポケット３０の内側に収容してもよいし、ユーザの腰部に巻き付けられたベルトに係止してもよい。
【００５０】
電動工具用バッテリ７０をバッテリポケット３０の内側に収容する場合について説明する。図５に示すように、ユーザは、ジャケット本体２０の電気回路６０の電源線６２とジャケット側コネクタ６３とを、バッテリポケット３０の第一貫通孔３１からバッテリポケット３０の内側に引き出す。また、ユーザは、電動工具用バッテリ７０をバッテリホルダ８０のホルダ本体８１に対してスライドして挿入することによって、電動工具用バッテリ７０とバッテリホルダ８０とを電気的に接続する。
【００５１】
そして、ユーザは、バッテリポケット３０の内側に引き出された電気回路６０のジャケット側コネクタ６３と、電動工具用バッテリ７０と連結されたバッテリホルダ８０のアダプタ側コネクタ８３とを接続する。このようにして、電動工具用バッテリ７０とバッテリホルダ８０とジャケット本体２０とが電気的に接続される。
【００５２】
なお、ユーザは、電動工具用バッテリ７０をバッテリポケット３０に収容する場合、バッテリホルダ８０の一対の雄ネジ８６を外してベルトフック８５をホルダ本体８１から取り外しておいてもよい。これにより、バッテリポケット３０の膨らみが低減される。
【００５３】
そして、ユーザは、電気回路６０の電源線６２とジャケット側コネクタ６３と電動工具用バッテリ７０とバッテリホルダ８０とをバッテリポケット３０に収納する。バッテリポケット３０に収納された電動工具用バッテリ７０とバッテリホルダ８０とは、自重によってバッテリポケット３０の下部に位置する。
【００５４】
そして、ユーザは、バッテリポケット３０の内側に露出した引張紐４０を引っ張って、引張紐４０が第三貫通孔３３から露出する部分の長さを長くした状態で留具４１によって係止する。これにより、ジャケット本体２０の胴部２１の後身頃の裏地２７が手繰られて収縮して、身幅方向に狭くなる。ジャケット本体２０の胴部２１の後身頃の裏地２７とユーザの身体との間の空間が狭くなり、ジャケット本体２０の胴部２１の裏地２７が身体にフィットする。ジャケット本体２０の胴部２１の裏地２７が身体にフィットする位置は、着丈方向において、バッテリポケット３０の中央より上側であるので、バッテリポケット３０に収納された電動工具用バッテリ７０とバッテリホルダ８０とより上側である。
【００５５】
このようにして、ジャケット本体２０の胴部２１の裏地２７がユーザの身体にフィットすることによって、バッテリポケット３０に収容された電動工具用バッテリ７０は、身体に近い位置で保持される。これにより、ユーザの体に対する電動工具用バッテリ７０の揺れが低減される。これにより、ユーザが電動工具用バッテリ７０によって感じる重量感が軽減される。また、保温ジャケット１０の着用感が向上する。さらにまた、バッテリポケット３０の内側における電動工具用バッテリ７０の移動が規制される。
【００５６】
電動工具用バッテリ７０をユーザの腰部に巻き付けられたベルトに係止する場合について説明する。より詳しくは、ユーザは、バッテリポケット３０の第一貫通孔３１から、バッテリポケット３０の内側に引き出された電気回路６０のジャケット側コネクタ６３を、第二貫通孔３２からジャケット本体２０の裏側に引き出す。また、ユーザは、電動工具用バッテリ７０をバッテリホルダ８０のホルダ本体８１に対してスライドして挿入することによって、電動工具用バッテリ７０とバッテリホルダ８０とを電気的に接続する。
【００５７】
そして、ユーザは、バッテリホルダ８０のボタン８４１を押下した状態で、電動工具用バッテリ７０と連結されたバッテリホルダ８０のベルトフック８５をベルトに掛ける。そして、ユーザは、バッテリホルダ８０のボタン８４１から手を離し突起部８４を突出させて、バッテリホルダ８０がベルトから外れないようにロックする。そして、ユーザは、バッテリホルダ８０のアダプタ側コネクタ８３を電気回路６０のジャケット側コネクタ６３に接続する。このようにして、電動工具用バッテリ７０とバッテリホルダ８０とジャケット本体２０とが電気的に接続される。
【００５８】
つづいて、ジャケット本体２０を操作して発熱を開始する。ユーザは、ジャケット本体２０の操作スイッチ６１を長押しして、発熱体５０への電力の供給を開始する。また、ユーザは、操作スイッチ６１を短く押下して、発熱体５０の温度を、例えば、高温、中温、低温と順番に切替える。発熱体５０は、ユーザの操作によって発熱する。このようにして、ジャケット本体２０に配置された６つの発熱体５０によって、ユーザの腹部と背中側の肩部と腰部と首回りとが温められる。
【００５９】
以上説明したように、本実施形態では、バッテリポケット３０の内側に露出した引張紐４０の長さを調整して、ジャケット本体２０の胴部２１の後身頃の裏地２７を身幅方向に狭くする。本実施形態によれば、ジャケット本体２０の胴部２１の後身頃の裏地２７とユーザの身体との間の空間を狭くして、ジャケット本体２０の胴部２１の裏地２７を身体にフィットさせることができる。このようにして、本実施形態は、バッテリポケット３０に収納された電動工具用バッテリ７０とバッテリホルダ８０とより上側において、ジャケット本体２０の胴部２１の裏地２７を身体にフィットさせることによって、身体に対する電動工具用バッテリ７０の揺れを低減することができる。これにより、本実施形態によれば、ユーザが電動工具用バッテリ７０によって感じる重量感を軽減することができる。また、本実施形態によれば、保温ジャケット１０の着用感を向上することができる。さらにまた、本実施形態によれば、バッテリポケット３０の内側における電動工具用バッテリ７０の移動を規制することができる。
【００６０】
本実施形態は、ジャケット本体２０の襟部２４の表地２６と裏地２７との間に第六発熱体５６が配置されている。これにより、本実施形態は、ユーザの胴体部に加えて、首回りを温めることができる。
【００６１】
本実施形態は、第六発熱体５６のカーボンファイバー５６１は、布地５６０上において上下方向に往復して身幅方向に沿って配置されている。これにより、本実施形態は、ユーザの身体動作に追従する襟部２４の身幅方向と着丈方向との収縮に追従して、第六発熱体５６が変形することができる。本実施形態によれば、保温ジャケット１０の着用感を向上することができる。
【００６２】
本実施形態は、ユーザの身体動作に追従する襟部２４の身幅方向と着丈方向との収縮に追従して、第六発熱体５６が変形するので、第六発熱体５６が断線するおそれを低減することができる。本実施形態によれば、耐久性を高めることができる。
【００６３】
本実施形態は、電動工具用バッテリ７０をバッテリポケット３０に収容する場合、バッテリホルダ８０の一対の雄ネジ８６を外してベルトフック８５をホルダ本体８１から取り外すことができる。これにより、本実施形態によれば、電動工具用バッテリ７０をバッテリポケット３０に収容した際に、バッテリポケット３０の膨らみを低減することができる。本実施形態によれば、保温ジャケット１０の着用感を向上することができる。
【００６４】
［第二実施形態］
図１０、図１１を参照しながら、本実施形態に係る保温ジャケット１０Ａについて説明する。図１０は、第二実施形態に係る保温ジャケットを示す正面図である。図１１は、第二実施形態に係る保温ジャケットを示す背面図である。保温ジャケット１０Ａは、基本的な構成は第一実施形態の保温ジャケット１０と同様である。以下の説明においては、保温ジャケット１０と同様の構成要素には、同一の符号または対応する符号を付し、その詳細な説明は省略する。保温ジャケット１０Ａは、ベスト型である。保温ジャケット１０Ａは、ジャケット本体２０Ａの形状と、４つの発熱体５０Ａを備える点で第一実施形態と異なる。
【００６５】
ジャケット本体２０Ａは、胴部２１と、襟部２４とを有する。
【００６６】
発熱体５０Ａは、第一発熱体５１Ａと、第二発熱体５２Ａと、第三発熱体５３Ａと、第四発熱体５４Ａとである。
【００６７】
第一発熱体５１Ａは、第一実施形態の第一発熱体５１と同様に、ジャケット本体２０の胴部２１の左側の前身頃の表地２６と裏地２７との間に配置されている。第二発熱体５２Ａは、第一実施形態の第二発熱体５２と同様に、ジャケット本体２０の胴部２１の右側の前身頃の表地２６と裏地２７との間に配置されている。第三発熱体５３Ａは、ジャケット本体２０の胴部２１の後身頃の中央上部の表地２６と裏地２７との間に配置されている。第四発熱体５４Ａは、第一実施形態の第六発熱体５６と同様に、ジャケット本体２０の襟部２４の表地２６と裏地２７との間に配置されている。
【００６８】
以上説明したように、本実施形態によれば、保温ジャケット１０Ａをベスト型に形成することもできる。また、本実施形態によれば、保温ジャケット１０Ａがベスト型であっても、着用感を向上することができる。
【００６９】
［第三実施形態］
図１２なしい図１６を参照しながら、本実施形態に係る保温ジャケット１０Ｂについて説明する。図１２は、第三実施形態に係る保温ジャケットを示す正面図である。図１３は、第三実施形態に係る保温ジャケットを示す背面図である。図１４は、第三実施形態に係る保温ジャケットのカードポケットを示す正面図である。図１５は、第三実施形態に係る保温ジャケットのカードポケットを示す正面図であり、蓋部を開いた状態を示す。図１６は、第三実施形態に係る保温ジャケットのカードポケットを示す背面図であり、蓋部を開いた状態を示す。保温ジャケット１０Ｂは、基本的な構成は第一実施形態の保温ジャケット１０と同様である。保温ジャケット１０Ｂは、高視認性を有する、フード付きジャケット型である。保温ジャケット１０Ｂは、ジャケット本体２０Ｂの形状と、反射材２９Ｂとカードポケット９０Ｂとを備える点と、表地２６の性能とが第一実施形態と異なる。
【００７０】
ジャケット本体２０Ｂは、欧米などにおいて、道路または建築現場における作業時に着用が義務付けられている、高視認性の衣服として着用可能である。ジャケット本体２０Ｂは、胴部２１と、左袖部２２と、右袖部２３と、襟部２４と、フード部２８Ｂとを有する。フード部２８Ｂは、胴部２１の上部と縫合されている。なお、フード部２８Ｂは、例えば、チャックまたはボタンなどによって胴部２１に対して着脱自在としてもよい。フード部２８Ｂは、襟部２４の外周を囲んで配置されている。
【００７１】
表地２６Ｂは、高い防水性と透湿性とを有する。表地２６Ｂは、視認性の高い色で着色されている。表地２６Ｂは、例えば、蛍光の黄色に着色されている。
【００７２】
反射材２９Ｂは、少なくともジャケット本体２０Ｂの胴部２１と左袖部２２と右袖部２３とに配置されている。反射材２９Ｂは、光を反射するテープである。
【００７３】
図１４ないし図１６を用いて、カードポケット９０Ｂについて説明する。カードポケット９０Ｂは、ジャケット本体２０の胴部２１に配置されている。本実施形態では、カードポケット９０Ｂは、胴部２１の左胸部に着脱可能に配置されている。カードポケット９０Ｂは、ジャケット本体２０の胴部２１に縫合されていてもよい。カードポケット９０Ｂは、例えば、ユーザの名前などを記したカード１００を収容可能である。カード１００は、例えば、透明のホルダ部１０１に名札または身分証のようなカード本体部１０２が収容されている。カードポケット９０Ｂは、本体部９１と、蓋部９２と、出入口９３と、スナップボタン９４と、面ファスナ９５とを有する。
【００７４】
本体部９１は、表地９１１と裏地９１２とが重ね合わされて、上辺を除く３辺の周縁部が縫合されている。本体部９１は、縫合された表地９１１と裏地９１２との間にカード１００を収容可能である。表地９１１の中央部には、開口部９１３が形成されている。開口部９１３は、カード１００の外形より小さく形成されている。開口部９１３を介して、カードポケット９０Ｂに挿入されたカード１００の表面の一部が露出する。本体部９１は、開口部９１３より周縁部側において表地９１１と裏地９１２とが縫合された縫い目によって保持部９１４が形成されている。保持部９１４は、カードポケット９０Ｂに挿入されたカード１００を保持する。蓋部９２は、裏地９１２の上部に一体に形成されている。蓋部９２は、本体部９１の出入口９３を開閉する。図１５に示すように、蓋部９２が開かれて露出した出入口９３を介して、カード１００がカードポケット９０Ｂに出し入れされる。スナップボタン９４は、蓋部９２によって出入口９３を閉じた状態で固定可能である。スナップボタン９４は、本体部９１に配置されたメス部９４１と、蓋部９２に配置されたオス部９４２とを有する。面ファスナ９５は、裏地９１２の上部と下部とに配置されている。面ファスナ９５は、ジャケット本体２０の胴部２１の左胸部に配置された図示しない面ファスナと接着可能である。
【００７５】
このように構成されたカードポケット９０Ｂは、面ファスナ９５がジャケット本体２０の面ファスナと接着されることにより、ジャケット本体２０に固定される。カードポケット９０Ｂは、面ファスナ９５がジャケット本体２０の面ファスナから取り外されることにより、ジャケット本体２０から取り外される。
【００７６】
以上説明したように、本実施形態によれば、保温ジャケット１０Ｂを欧米などにおいて、道路または建築現場における作業時に着用が義務付けられている、高視認性の衣服にすることもできる。また、本実施形態によれば、保温ジャケット１０Ｂが高視認性の衣服であっても、着用感を向上することができる。
【００７７】
本実施形態は、面ファスナ９５によって、カードポケット９０Ｂをジャケット本体２０から着脱することができる。これにより、本実施形態によれば、例えば、カード１００の劣化時、透明のホルダ部１０１またはカード本体部１０２のみを交換することができる。本実施形態によれば、例えば、保温ジャケット１０Ｂの洗濯時、カード１００を入れたカードポケット９０Ｂをジャケット本体２０から取り外すことができる。さらに、カードポケット９０Ｂがジャケット本体２０に縫合されていても、カードポケット９０Ｂは透明のホルダ部を有していなので、保温ジャケット１０Ｂを容易に洗濯することができる。
【００７８】
上記では、長尺体が引張紐４０である場合について説明したが、これに限定されない。長尺体は、帯状またはベルト状に構成されていてもよい。この場合の長尺体は、引張紐４０と同様に、表地２６と裏地２７との間にジャケット本体２０の後身頃の身幅方向に沿って配置する。長尺体は、一方の端部が一対の第三貫通孔３３を通ってバッテリポケット３０の内側に露出する。長尺体は、他方の端部が、ジャケット本体２０の胴部２１の右側部に対応する裏地２７に固定される。そして、長尺体は、一方の端部に配置された留具によって第三貫通孔３３から露出する部分の長さを調節可能であればよい。
【００７９】
上記では、長尺体が、ループ状のドローコードであり、一方の端部がバッテリポケット３０の内側に露出し、他方の端部がジャケット本体２０の裏地９１２に固定されるものとして説明したが、これに限定されない。長尺体は、例えば、１本のドローコードを中間部で折り返して形成され、両端がバッテリポケット３０の内側に露出し、中間部がジャケット本体２０の裏地９１２に固定されてもよい。
【００８０】
図１７ないし図２０を参照して、長尺体がベルト状に形成された保温ジャケット１０Ｃおよび保温ジャケット１０Ｄについて説明する。図１７は、保温ジャケットの長尺体の他の例を示す概略図である。図１８は、保温ジャケットの長尺体の他の例を示す概略図である。図１９は、保温ジャケットの長尺体の他の例を示す概略図である。図２０は、保温ジャケットの長尺体の他の例を示す概略図である。図１７、図１８に示すように、長尺体４０Ｃは、ジャケット本体２０の胴部２１の右側部および左側部に１本ずつ合計２本が配置されている。長尺体４０Ｃは、ジャケット本体２０の胴部２１の外側に配置されている。長尺体４０Ｃは、ユーザの腰部近傍に位置する。長尺体４０Ｃは、バッテリポケット３０より上側に配置されている。長尺体４０Ｃはバックル４１Ｃの位置を調節することによって長さが調節されて、胴部２１が身幅方向に狭くなったり広くなったりする。図１９、図２０に示すように、長尺体４０Ｄは、ジャケット本体２０の胴部２１の周りに１本配置されている。長尺体４０Ｄは、ジャケット本体２０の胴部２１の外側に配置されている。長尺体４０Ｄは、ユーザの腰部近傍に位置する。長尺体４０Ｄは、バッテリポケット３０より上側に配置されている。長尺体４０Ｄはバックル４１Ｄの位置を調節することによって長さが調節されて、胴部２１が身幅方向に狭くなったり広くなったりする。このような構成により、バッテリポケット３０に収納された電動工具用バッテリ７０とバッテリホルダ８０とより上側で、ユーザの腰部近傍において、ジャケット本体２０の胴部２１を身体にフィットさせることによって、身体に対する電動工具用バッテリ７０の揺れを低減することができる。
【００８１】
上記では、第六発熱体５６の山型の形状は同一であるものとして説明したが、これに限定されない。第六発熱体５６は、例えば、襟部２４の身幅方向の端部と中間部とで異なる形状としてもうよい。第六発熱体５６は、曲線状に上下方向に往復する波型の形状であってもよい。
【００８２】
上記で説明した発熱体５０の数は一例であり、限定されない。発熱体５０の配置と形状と大きさとは、ユーザのニーズに合わせて適宜変更可能である。
【００８３】
上記では、電気回路６０の操作スイッチ６１と制御部６９とをジャケット本体２０の左胸の位置に設ける例を示したが、操作スイッチ６１と制御部６９との位置は適宜変更可能である。
【００８４】
上記では、例えば、寒冷地の作業現場での作業を快適に行うために着用される保温ジャケット１０について説明したが、これに限定されない。本実施形態は、例えば、高温の作業現場での作業を快適に行うために着用される、調温ジャケットの他の例であるファンジャケットにも適用可能である。調温ジャケットは、表地と裏地とを有するジャケット本体と、前記ジャケット本体に配置され、電力が供給されることにより、発熱または送風する調温体と、前記ジャケット本体に配置され、前記調温体に電力を供給するバッテリを収容可能なバッテリポケットと、前記表地と前記裏地との間に前記ジャケット本体の身幅方向に沿って配置された長尺体と、を備え、前記長尺体は、前記バッテリポケットの内側に露出した露出部と、前記表地または前記裏地に固定された固定部とを有しており、前記露出部を引っ張ることによって、前記ジャケット本体の身幅が収縮する、ことを特徴とする。調温体として送風ファンを有するファンジャケットの場合、長尺体は、送風機能を阻害しないように配置されることが好ましい。このような構成により、バッテリの重さによって感じる負担を軽減することができる。
【符号の説明】
【００８５】
１０…保温ジャケット、２０…ジャケット本体、２１…胴部、２２…左袖部、２３…右袖部、２４…襟部、２５…チャック、２６…表地、２７…裏地、３０…バッテリポケット、３１…第一貫通孔、３２…第二貫通孔、３３…一対の第三貫通孔、４０…引張紐（長尺体）、４１…留具、５０…発熱体、５１…第一発熱体、５２…第二発熱体、５３…第三発熱体、５４…第四発熱体、５５…第五発熱体、５６…第六発熱体（発熱体）、６０…電気回路、６１…操作スイッチ、６２…電源線、６３…ジャケット側コネクタ（端子部）、６４…発熱体側電線、６９…制御部、７０…電動工具用バッテリ（バッテリ）、７１…解除ボタン、８０…バッテリホルダ、８１…ホルダ本体、８２…リード線、８３…アダプタ側コネクタ、８４…突起部、８５…ベルトフック、８６…一対の雄ネジ
【図１】
2019183310.tif 000003
【図２】
2019183310.tif 000004
【図３】
2019183310.tif 000005
【図４】
2019183310.tif 000006
【図５】
2019183310.tif 000007
【図６】
2019183310.tif 000008
【図７】
2019183310.tif 000009
【図８】
2019183310.tif 000010
【図９】
2019183310.tif 000011
【図１０】
2019183310.tif 000012
【図１１】
2019183310.tif 000013
【図１２】
2019183310.tif 000014
【図１３】
2019183310.tif 000015
【図１４】
2019183310.tif 000016
【図１５】
2019183310.tif 000017
【図１６】
2019183310.tif 000018
【図１７】
2019183310.tif 000019
【図１８】
2019183310.tif 000020
【図１９】
2019183310.tif 000021
【図２０】
2019183310.tif 000022